(57)【特許請求の範囲】
【請求項１】
側壁下部に浴槽排水の流入口を形成し、側壁上部に排水管へ接続する流出口を形成し、該流出口近傍の底部に封水壁を備えたトラップ本体には、封水筒が挿入装着され、該封水筒を載置したトラップキャップが被冠接着され、トラップ本体の側壁内面には流入口よりの浴槽排水が封水筒外を経て直接流出口へ流れる直接流排水と、封水筒内を旋回し、排出口を経て流出口へ流れる旋回流排水とに分岐する分岐壁と、該旋回流排水を封水筒内へ流入させるための遮蔽壁とが形成され、封水筒には、旋回流排水を噴出する噴出口が形成され、且つ下部に旋回流排水の排出口が切欠き設けられ、封水筒がトラップ本体の流出口近傍に設けられた封水壁にて形成される封水の溜り部へ挿入装着されることによって、前記分岐壁、遮蔽壁、及びトラップ本体底面に接合され、その封水筒の上に、洗い場パンへの締付けがされる締付フランジにヘアキャッチャーが支持設置されることを特徴とする浴室用排水トラップ。
【請求項２】
封水筒内面には、下方の流入口より流れる浴槽排水が分岐壁で分岐された旋回流排水を封水筒内部上方へガイド噴入させる旋回ガイド室が形成されることを特徴とする請求項１記載の浴室用排水トラップ。
【発明の詳細な説明】
【技術分野】
【０００１】  本発明は、低床化でヘッド高が低く設定された浴室用排水トラップにおいて、付着のヌメリの清掃、及びヘアキャッチャーに絡み付いた毛髪などの捕集纏めが、浴槽排水によって実施できるようにしたものである。
【背景技術】
【０００２】  バリアフリー構造住居に伴い、浴室における低床化が進み、浴室用排水トラップの高さを低く設定する必要が生じるようになった。【０００３】  そこで、低床化のために、ヘッド高（浴槽底と封水ラインとの間の幅、及び洗い場と封水ラインとの間の幅）が低く設定されることによっての圧力低下で排水効率を悪くし、封水筒から浴槽排水が溢れて洗い場に水溜りを生じたり、また、洗い場から排水トラップへの勢い良い排水によって逆流し、浴槽内へ溢れてしまうことにもなった。
したがって、封水筒と、該封水筒が挿入装着された封水壁によって形成する溜水部とを設けたトラップ本体において、溜水部の外部に位置する外部空間に管状部材を配設し、洗い場からの排水が封水筒内部に流入され、封水筒外部を上昇して、封水壁の外部空間へ溢れ出す排水と、管状部材によって外部空間へ導き出された浴槽排水とを分流させ、浴槽の排水効率を高めるとともに浴槽と洗い場との相互圧力干渉を抑制した、メンテナンス性に優れる浴室用排水トラップ（特許文献１）が提供されている。【０００４】  また、排水トラップ内部のヌメリの清掃、及びヘアキャッチャーに付着する毛髪などの捕集纏めできる浴室用排水トラップとして、浴槽排水の流入口を側面に設け、上方のヘアキャッチャーが設置された排水枡から垂設する封水筒内を、下方から浴槽排水が旋回しながらヘアキャッチャー上まで上昇され、ヘアキャッチャーを洗浄して封水筒外部に排水されるもの（特許文献２）が提供されている。【０００５】
【特許文献１】  特開２００５−９１６０
【特許文献２】  特開２００７−１２００４１
【発明の開示】
【発明が解決しようとする課題】
【０００６】  封水筒と、該封水筒が挿入装着された封水壁によって形成する溜水部とを設けたトラップ本体において、溜水部の外部空間に管状部材が配設された浴室用排水トラップ（特許文献１）にあっては、低床化でのヘッド高を低くしても排水効率の低下を生ぜず、また、浴槽側と洗い場側との相互の圧力干渉の発生を抑制できる点ではよいものの、浴槽排水を用いて、排水トラップ内部のヌメリの清掃や、ヘアキャッチャーに付着する毛髪などの捕集纏めができるようにしたものでなく、浴槽排水を何の利用もされずに無駄に排水してしまう点にある。【０００７】  また、浴槽排水の流入口を側面に設け、封水筒内を下方から浴槽排水が旋回しながらヘアキャッチャーまで上昇され、ヘアキャッチャーを清掃して封水筒外部に排水される浴室用排水トラップ（特許文献２）においては、浴槽排水を旋回させながらヘアキャッチャーまで上昇させ、清掃、及び毛髪などの捕集纏めすることではよいが、それには、容積が大きくなり大型化し、まして、低床化のためヘッド高が低くしなければならなかった場合には、対応できない。そして、ときには、洗い場へ溢れ出してしまって不都合である。
【課題を解決するための手段】
【０００８】  本発明は、低床化でヘッド高が低くされても、浴槽排水で付着したヌメリの清掃、及びヘアキャッチャーに絡み付いた毛髪などの捕集纏めできる浴室用排水トラップが提供されることを目的とする。【００１０】  本発明の浴室用排水トラップは、側壁下部に浴槽排水の流入口を形成し、側壁上部に排水管へ接続する流出口を形成し、該流出口近傍の底部に封水壁を備えたトラップ本体には、封水筒が挿入装着され、該封水筒を載置したトラップキャップが被冠接着され、トラップ本体の側壁内面には流入口よりの浴槽排水が封水筒外を経て直接流出口へ流れる直接流排水と、封水筒内を旋回し、排出口を経て流出口へ流れる旋回流排水とに分岐する分岐壁と、該旋回流排水を封水筒内へ流入させるための遮蔽壁とが形成され、封水筒には、旋回流排水を噴出する噴出口が形成され、且つ下部に旋回流排水の排出口が切欠き設けられ、封水筒がトラップ本体の流出口近傍に設けられた封水壁にて形成される封水の溜り部へ挿入装着されることによって、前記分岐壁、遮蔽壁、及びトラップ本体底面に接合され、その封水筒の上に、洗い場パンへの締付けがされる締付フランジにヘアキャッチャーが支持設置されるものである。【００１１】  本発明の浴室用排水トラップは、封水筒内面には、下方の流入口より流れる浴槽排水が分岐壁で分岐された旋回流排水を封水筒内部上方へガイド噴出させる旋回ガイド室が形成されるものである。
【発明の効果】
【００１３】  本発明の浴室用排水トラップは、浴槽排水が、付着したヌメリの清掃や、ヘアキャッチャーに絡み付いた毛髪などの捕集纏めのための旋回流排水と、排水効率低下を起させないための直接流排水とに分岐されることによって、低床化のために生じたヘッド高の低くなった溶室用排水トラップであっても、排水効果を落さずに、且つ洗い場や浴槽内に溢れ出させることなく、その上、付着したヌメリの清掃や、ヘアキャッチャーに絡み付いた毛髪などの捕集纏めできるものである。【００１４】  本発明の浴室用排水トラップは、付着したヌメリの清掃や、ヘアキャッチャーに絡み付いた毛髪などの捕集纏めをする旋回流排水が大容量の浴槽排水より分岐され、小容量にすることによって実施できるので、浴室用排水トラップの小型化が出来る。
また、分岐された直接流排水によって、ヘッド高が低くなっても、洗い場に溢れ出なくできる。【００１５】  本発明の浴室用排水トラップは、封水筒内面には、旋回ガイド室が形成され、浴槽排水を下方から上方へガイド噴出旋回させることができ、この分岐した小容量の旋回流排水によって、付着するヌメリの清掃、及びヘアキャッチャーに絡み付いた毛髪の捕集纏めができることになる。
また、封水筒内面には、エア吸入筒が形成され、直接流排水にエアを供給し、直接流排水に生じる負圧でサイホン現象が起きることのないように防止できる。
【本発明を実施するための形態】
【００１６】  本発明の溶室用排水トラップは、低床化でヘッド高が低くされても排水効果低下を生じず、付着したヌメリの清掃、及びヘアキャッチャーに絡み付いた毛髪などの捕集纏めが出来るものであって、浴槽排水を直接流排水と、旋回流排水とに分岐排水するものである。
【００１７】  浴室用排水トラップＡを図１、及び図２によって示すと、側壁１１下部に浴槽へ接続の浴槽排水の流入口１２を形成し、側壁１１上部に排水管Ｂへ接続の流出口１３を形成したトラップ本体１には、流出口１３近傍の底部１４に封水壁１５を備え、該封水壁によって封水Ｃを封水ラインｃまで溜める溜り部が形成されることになる。
トラップ本体１は、トラップキャップ２を被冠接着し、該トラップキャップに支持される封水筒３が封水Ｃの溜り部に挿入装着される。
トラップ本体１には、側壁１１内面の流入口１２部位に、浴槽排水を直接流排水と旋回流排水とに分岐する分岐壁１６が設けられ、また、側壁１１内面の横部位に旋回流排水Ｓを遮蔽して方向転換させる遮蔽壁１７が設けられ、封水筒３を封水の溜り部に挿入装着することによって、封水筒３がこれら分岐壁１６、遮蔽壁１７、及びトラップ本体底部１４に接合されることになる。
尚、これら接合が、必ずしも全く隙間のない密着でなければならないものでもなく、多少の隙間があっても差しつかえない。
封水筒３上の洗い場パン（図示されず）への締付けがされる締付フランジ４には、ヘアキャッチャー５が配設され、洗い場での排水による毛髪などを捕集、堆積する。
封水筒３は、内面には、図３に示す如く、分岐された浴槽排水の旋回流排水Ｓを封水筒３の下部外方から封水筒３の上部内方へガイドし、噴出口３２より噴出させる旋回ガイド室３１が設けられ、且つ下部には封水筒３内を旋回した旋回流排水Ｓの排出口３３が切欠き形成される。
また、封水筒３内面には、図４に示す如く、上方から下方へ伸延するエア吸入筒６が形成され、直接流排水Ｔにエア吸入筒６下方の孔６１よりエアＰを供給し、直接流排水Ｔにおける圧力低下で生じるサイホン現象が起らないように防止する。
【００１８】  洗い場による排水は、洗い場パンへの締付けがされる締付フランジ４に支持配設されたヘアキャッチャー５を透過し、毛髪などが該ヘアキャッチャー５に捕集堆積される。ヘアキャッチャー５を透過して封水筒３が浸かる封水Ｃの溜り部を経て流れる洗い場排水は、封水筒３下部の排出口３３より排出し、封水ラインｃより溢れでて排出管Ｂへ排出される。
【００１９】  浴槽排水は、浴室用排水トラップＡのその下方に位置する流入口１２より流入されると、該流入口近傍の分岐壁１６によって直接流排水Ｔと、旋回流排水Ｓとに分岐される。
そこで、直接流排水Ｔは、封水筒３外側を迂回して流れ、封水Ｃの溜り部を経由して封水ラインｃより溢れ出し、流水口１３より排出管Ｂへ排水される。
旋回流排水Ｓは、分岐壁１６によって分岐された後、封水筒３外側に沿って流れ、遮蔽壁１７にて遮蔽されることによって、旋回ガイド室３１へ収斂されて、該旋回ガイド室をもって封水筒３の下部外方から封水筒３の上部内方へガイドされ、該旋回ガイド室３１の噴出口３２より噴出し、封水筒３内を旋回することになる。そして、その旋回する旋回流排水Ｓが旋回しながら上昇し、洗い場パンへの締付けがされる締付フランジ４に支持されるヘアキャッチャー５を外側方下部から旋回洗浄して毛髪などが中央部に纏められ、封水筒３中心部を経て、排出口３３より排出され、封水Ｃの溜り部で直接流排水Ｔと合流して、封水ラインｃより溢れ出すことになって、流出口１３より排出される。
そこで、ヘアキャッチャー５に捕集纏められた毛髪などは、ヘアキャッチャー５を取り外して、軽く打つだけで簡単かつ容易に廃棄することができる。
【図面の簡単な説明】
【００２０】
【図１】  浴室用排水トラップの縦断面図である。
【図２】  浴室用排水トラップの説明上面図である。
【図３】  浴室用排水トラップの旋回ガイド室を示す、図２のＡ−Ａ断面図である。
【図４】  浴室用排水トラップのエア吸入筒を示す、図２のＸ矢視図である。
【符号の説明】
【００２１】  Ａ      浴室用排水トラップ
Ｂ      排水管
Ｃ      封水
ｃ      封水ライン
Ｓ      旋回流排水
Ｔ      直接流排水
Ｐ      エア
１      トラップ本体
１１    側壁
１２    流入口
１３    流出口
１４    底部
１５    封水壁
１６    分岐壁
１７    遮蔽壁
２      トラップキャップ
３      封水筒
３１    旋回ガイド室
３２    噴出口
３３    排出口
４      締付フランジ
５      ヘアキャッチャー
６      エア吸入筒
６１    孔
【図１】
0005333889.tif 000002
【図２】
0005333889.tif 000003
【図３】
0005333889.tif 000004
【図４】
0005333889.tif 000005